(57)【要約】【課題】従来使用されている注射器の形状ないしは構造をそのまま利用しながら、使用済の注射針を注射器本体から離脱する際、注射針に手を触れることなく、簡単かつ容易に離脱できる注射器を提供する。【解決決手段】従来使用されている注射器の有底外筒体３の底部３ｂに突出形成した注射針２の管状受部３ｃに、楕円形の透孔５ａを穿設した作動片５の透孔５ａを係止すると共に、上記作動片５を介して管状受部３ｃに注射針２を嵌合して構成した。【選択図】  図３
2004242920.tif 000002
【特許請求の範囲】
【請求項１】
注射針と、該注射針に連通して着脱自在に嵌合される有底外筒体と、該有底外筒体の開口部から往復摺動自在に嵌入される注射筒体とによって構成された注射器において、上記有底外筒体の底部に位置し、かつ内部に連通して突出形成された注射針の管状受部に、楕円形の透孔を穿設した作動片の透孔を係止すると共に、上記作動片を介して注射針が管状受部に嵌合されていることを特徴とする使用済注射針の離脱機構を備えた注射器。
【請求項２】
作動片に穿設した楕円形の透孔は、その短径が管状受部の外周面に係止されるように形成されていることを特徴とする請求項１記載の使用済注射針の離脱機構を備えた注射器。
【請求項３】
作動片に穿設した楕円形の透孔は、その短径が管状受部の外周面に係止されるように形成されていると共に、その肉厚は側面視楔状となるように形成されていることを特徴とする請求項１記載の使用済注射針の離脱機構を備えた注射器。
【請求項４】
注射針と、該注射針に連通して着脱自在に嵌合される有底外筒体と、該有底外筒体のの開口部から往復摺動自在に嵌入される注射筒体とによって構成された注射器において、上記有底外筒体の底部に位置し、かつ内部に連通して突出形成された注射針の管状受部の基端側に刻設した螺子部に、円形の透孔を穿設し、その内周面に螺子を刻設した作動片の透孔を螺合すると共に、上記作動片を介して注射針が管状受部に嵌合されていることを特徴とする使用済注射針の離脱機構を備えた注射器。
【発明の詳細な説明】
【０００１】
【発明の属する技術分野】本発明は、使用済注射針の離脱機構を備えた注射器に係り、詳しくは、使用済の注射針を注射器本体から離脱させるに際し、該注射針に手を触れることなく、極めて簡単な操作で容易に離脱させることができ、もって針刺し事故を未然に防止することができる使用済注射針の離脱機構を備えた注射器に関するものである。
【０００２】
【従来の技術】病気治療のために人体に薬液を注入投与したり、血液検査のために採血に使用したりした注射器は、廃棄物の処理および清掃に関する法律により、注射針と注射器本体とを分離して、別々に廃棄する必要がある。
【０００３】ところが、医師、看護婦、臨床検査技師などの医療従事者は、血液媒介性病原体（エイズ、Ｂ型肝炎など）に対する危険性を充分認識していても、注射器の使用から廃棄までの間に感染性使用済注射針による針刺し事故を起こす場合がしばしばあり、例えば、注射針に被冠されているキャップの取り外しや、使用後の注射針へのキャップの装着、または注射針を取り外す際、等における針刺し防止の具体的対策が、医療従事者から要望されている。
【０００４】本発明者は上記の要望に応えるべく、先に使用済注射針に手を触れることなく、簡単に注射器本体から注射針を離脱させる発明を創案して特許を取得した（特許第３３０８１９８号）。この発明の特徴とするところは、外筒体の底部をゴム等の弾性体で形成し、かつ該底部の偏心位置に注射針を嵌合する管状受部を内部と連通して突出形成すると共に、上記外筒体に往復摺動自在に嵌入する注射筒体の一側に針状体または針状押圧体を設け、注射した後、注射筒体を更に注射針方向に押圧することにより、針状体または針状押圧体が外筒体の底部を突き抜いて注射針を離脱させ、針刺し事故を防止するようにしたものである。
【０００５】ところが、上記発明では、解決すべき課題を達成するのに従来使用されている注射器の形状ないし構造の一部を改変しなければならない、という製造上の問題点があった。
【０００６】
【発明が解決しようとする課題】本発明は上記の問題点を克服すべく、全く新しい構想に基づいて創案されたものであって、その意図するところは、従来使用されている注射器の形状ないしは構造をそのまま使用するものでありながら、極めて簡単な操作で、使用済の注射針に手を触れることなく、注射器本体から容易に離脱させることができる使用済注射針の離脱機構を備えた注射器を提供しようとするものである。
【０００７】
【課題を解決するための手段】上記課題を解決するため、本発明が採用した第１の技術手段は、注射針と、該注射針に連通して着脱自在に嵌合される有底外筒体と、該有底外筒体の開口部から往復摺動自在に嵌入される注射筒体とによって構成された注射器において、上記有底外筒体の底部に位置し、かつ内部に連通して突出形成された注射針の管状受部に、楕円形の透孔を穿設した作動片の透孔を係止すると共に、上記作動片を介して注射針が管状受部に嵌合されていることを特徴とするものである。
【０００８】本発明が採用した第２の技術手段は、作動片に穿設した楕円形の透孔は、その短径が管状受部の外周面に係止されるように形成されていることを特徴とするものである。
【０００９】本発明が採用した第３の技術手段は、作動片に穿設した楕円形の透孔は、その短径が管状受部の外周面に係止されるように形成されていると共に、その肉厚は側面視楔状となるように形成されていることを特徴とするものである。
【００１０】本発明が採用した第４の技術手段は、注射針と、該注射針に連通して着脱自在に嵌合される有底外筒体と、該有底外筒体のの開口部から往復摺動自在に嵌入される注射筒体とによって構成された注射器において、上記有底外筒体の底部に位置し、かつ内部に連通して突出形成された注射針の管状受部の基端側に刻設した螺子部に、円形の透孔を穿設し、その内周面に螺子を刻設した作動片の透孔を螺合すると共に、上記作動片を介して注射針が管状受部に嵌合されていることを特徴とするものである。
【００１１】
【発明の実施の形態】本発明の実施の形態を添付図面に基づいて詳細に説明する。図１は従来の注射器の全体斜視図、図２は同上分解斜視図を示すものであって、（Ａ）は注射針の斜視図、（Ｂ）は外筒体の斜視図、（Ｃ）は注射筒体の斜視図、図３は本発明の第１実施例を示すものであって、（Ａ）は注射器の全体斜視図、（Ｂ）は同上注射針離脱用作動片の全体斜視図、（Ｃ）は他の実施例を示す注射針離脱用作動片の全体斜視図、図４は本発明の他の実施例を示すものであって、（Ａ）は外筒体の要部斜視図、（Ｂ）は同上注射針離脱用作動片の全体斜視図である。
【００１２】上記図１および２において、注射器１は注射針２と、該注射針２に連通して着脱自在に嵌合される有底外筒体３と、該有底外筒体３の開口部３ｂから往復摺動自在に嵌入される注射筒体４とによって構成されている。
【００１３】注射針２はカヌラ２ａと、フロントエンド２ｂおよびバックエンド２ｃとによって構成され、バックエンド２ｃはハブ２ｄに挿着支持されている。２ｅは注射針２に被冠されたキャップである。有底外筒体３は透明性の合成樹脂で断面形状円形に形成されており、その底部３ｂの中心部には注射針２のハブ２ｄを着脱自在に嵌合する管状受部３ｃが内部と連通して一体的に突出形成されており、開口部３ａの上端縁外周にはストッパー３ｄが鍔状に突出形成されている。また注射筒体４も透明性の合成樹脂で断面形状円形に形成され、その先端側は外筒体３の底部３ｂの内面側に密着するように形成されていると共に、基端側には板状押圧座４ａが一体的に突出形成されている。
【００１４】本発明は、上記のような従来の注射器の形状ないし構造を前提として、図３に示すような楕円形の透孔５ａを穿設した注射針離脱用作動片５を有底外筒体３の底部３ｂに突出形成した管状受部３ｃに上記透孔５ａを介して係止した点に特徴を有するものである（同図（Ａ）参照）。詳しくは、上記注射針離脱用の作動片５は、同図（Ｂ）（Ｃ）に示すように、合成樹脂により板体の中心部位に楕円形の透孔５ａが穿設され、該透孔５ａの短径５ｂは管状受部３ｃの外周面に係止可能の幅員に形成されており、注射針２のハブ２ｄは作動片５を介して管状受部３ｃに嵌合されるように構成されているが、特に（Ｃ）は（Ｂ）に示す作動片５の肉厚が側面視楔状に形成されている。
【００１５】図４（Ａ）（Ｂ）は、本発明の他の実施例を示すものであって、このものは有底外筒体３の管状受部３ｃの基端側に螺子部３ｅを刻設すると共に、作動片５´の中心部に穿設した円形の透孔５ａ´の内周面に螺子５ａ´´を刻設し、上記管状受部３ｃに透孔５ａ´を螺合した作動片５´を介して注射針２のハブ２ｄを管状受部３ｃに嵌合するように構成した点に特徴を有するものである。なお、上記作動片５、５´の形状は注射器本体に比べて極めて小さいので、例えば、赤色、青色で着色して、危険性、安全性を喚起するようにしたものが望ましい。
【００１６】叙上の構成において、いま、注射針２を注射器本体から離脱させるには、次のように操作すればよい。すなわち、第１実施例の（Ｂ）のものにおいては、作動片５の上端側を親指で押さえ、注射針２と反対方向に押圧操作すれば、注射針２に手を触れることなく、簡単に離脱させることができ、（Ｃ）のものにおいては、作動片５の上端部を親指で下方へ押し込むのみで、注射針２に手を触れることなく、簡単に離脱させることができる。また、第２実施例のものにおいては、作動片５´を親指で螺合を解除する方向へ回動操作すれば、注射針２に手を触れることなく、簡単に離脱させることができる。
【００１７】上記離脱操作について更に詳しく説明すると、第１実施例の（Ｂ）の作動片５は、楕円形の透孔５ａの短径５ｂが有底外筒体３の底部３ｂに突出形成した管状受部３ｃの外周面に係止されているので、作動片５の上端側を注射針２と反対方向に押圧すると、これに連動して下端側が係止部を支点として注射針２のハブ２ｄ側へ傾動し、ハブ２ｄを前方へ押し出すため、注射針２は管状受部３ｃとの嵌合が解除され、したがって、注射針２に手を触れることなく、注射器本体から離脱させることができる。
【００１８】次に（Ｃ）の作動片５は、（Ｂ）の作動片５の肉厚が側面視楔状（Ｖ字状）に形成されているので、上端部を下方に押し込むと、透孔５ｂの長径５ｃ側の内周面が管状受部３ｃの外周面を摺動しながら下動し、これに連動して作動片５の斜面５ｄに沿って注射針２のハブ２ｄが押し出されるため、注射針２は管状受部３ｃとの嵌合が解除され、注射針２に手を触れることなく、注射器本体から離脱させることができる。
【００１９】また、第２実施例の作動片５´は、円形の透孔５ａ´の内周面に刻設した螺子５ａ´´が有底外筒体３の底部３ｂに突出形成した管状受部３ｃの基端側に刻設した螺子部３ｅと螺合しているので、螺合を解除する方向に作動片５´を回動すると、該作動片５´が注射針２のハブ２ｄ側へ螺進し、これに連動してハブ２ｄを前方へ押し出すため、注射針２は管状受部３ｃと嵌合状態が解かれ、したがって、注射針２に手を触れることなく、注射器本体から離脱させることができる。
【００２０】
【発明の効果】以上の説明によって明らかなように、本発明によれば、次のような各別顕著な効果を奏する。
（１）請求項１、２または３の記載から、従来使用されている注射器をそのまま利用し、その有底外筒体の底部に突出形成した注射針の管状受部に、楕円形の透孔を穿設した作動片の透孔を係止し、該作動片を介して注射針を管状受部に嵌合したから、使用済の注射針を注射器本体から離脱するに当たり、注射針に手を触れることなく、単に作動片を注射針と反対方向に押圧操作するか、または下方に押し込むのみで、簡単かつ容易に離脱させることができ、したがって、針刺し事故が未然に防止され、危険のない状態で安心して使用済の注射針を廃棄することができる。
（２）請求項４の記載から、従来使用されている注射器の有底外筒体の底部に突出形成した注射針の管状受部の基端側に螺子部を刻設する、という極く僅かな改変で、上記管状受部に円形の透孔を穿設し、その内周面に螺子を刻設した作動片の透孔を螺合し、該作動片を介して注射針を管状受部に嵌合したから、使用済の注射針を注射器本体から離脱するに当たり、注射針に手を触れることなく、単に螺合を解除する方向に作動片を回動操作するのみで、簡単かつ容易に離脱させることができ、したがって、針刺し事故が未然に防止され、危険のない状態で安心して使用済の注射針を廃棄することができる。
【図面の簡単な説明】
【図１】従来の注射器の全体斜視図
【図２】同上分解斜視図を示すものであって、（Ａ）は注射針の斜視図、（Ｂ）は外筒体の斜視図、（Ｃ）は注射筒体の斜視図
【図３】本発明の第１実施例を示すものであって、（Ａ）は注射器の全体斜視図、（Ｂ）は注射針離脱用作動片の全体斜視図、（Ｃ）は他の実施例を示す注射針離脱用作動片の全体斜視図
【図４】本発明の他の実施例を示すものであって、（Ａ）は外筒体の要部斜視図、（Ｂ）は注射針離脱用作動片の全体斜視図
【符号の説明】
１      注射器
２      注射針
２ａ    カヌラ
２ｂ    フロントエンド
２ｃ    バックエンド
２ｄ    ハブ
２ｅ    キャップ
３      有底外筒体
３ａ    開口部
３ｂ    底部
３ｃ    管状受部
３ｅ    螺子
４      注射筒体
４ｂ    板状押圧座
５      作動片
５´    作動片
５ａ    楕円形の透孔
５ｂ    楕円形の短径
５ｃ    長径
５ｄ    斜面
５ａ´  円形の透孔
５ａ´´螺子
【図１】
2004242920.tif 000003
【図２】
2004242920.tif 000004
【図３】
2004242920.tif 000005
【図４】
2004242920.tif 000006